(57)【要約】【課題】健常者だけでなく、手が不自由な車椅子使用者であっても容易に扉を開けることができるようにする。【解決手段】扉１を開閉するハンドル５が上下に長く形成された長尺状の把手部材６と、把手部材を扉に固定する固定部材７と、固定部材により扉に固定された把手部材を扉面方向に押したときに扉のラッチ８を解除するラッチ解除手段とを備える。車椅子使用者が車椅子のフットサポートで把手部材の下端部を押すことが可能な位置に把手部材の少なくとも一部が位置することが好ましい。一実施形態において、固定部材が把手部材の上端に設けられ、該固定部材を介して扉に固定された把手部材が該固定位置から下方に延長する。【選択図】図１
2015105503.tif 000002
【特許請求の範囲】
【請求項１】
扉を開閉するハンドルが設けられた扉であって、ハンドルは、上下に長く形成された長尺状の把手部材と、把手部材を扉に固定する固定部材と、固定部材により扉に固定された把手部材を操作したときに扉のラッチを解除するラッチ解除手段とを備えることを特徴とする扉。
【請求項２】
ラッチ解除手段は、把手部材を壁面方向に押したときに扉のラッチを解除するものであることを特徴とする、請求項１記載の扉。
【請求項３】
車椅子使用者が車椅子のフットサポートで把手部材の少なくとも一部を押してラッチ解除可能であることを特徴とする、請求項２記載の扉。
【請求項４】
固定部材が把手部材の上端に設けられ、該固定部材を介して扉に固定された把手部材が該固定位置から下方に延長することを特徴とする、請求項１ないし３のいずれか記載の扉。
【請求項５】
固定部材の把手部材の下端に設けられ、該固定部材を介して扉に固定された把手部材が該固定位置から上方に延長することを特徴とする、請求項１ないし３のいずれか記載の扉。
【請求項６】
固定部材の把手部材の長さ方向略中央に設けられ、該固定部材を介して扉に固定された把手部材が該固定位置から上方および下方に延長することを特徴とする、請求項１ないし３のいずれか記載の扉。
【発明の詳細な説明】
【技術分野】
【０００１】
本発明は扉に関する。
【背景技術】
【０００２】
ドアなどの扉にハンドルなどの扉開閉装置を取り付けて扉を開閉することが従来より行われているが、ハンドルの取付位置は、普通の大人が立って操作することを前提として定められている。このため、身長が低い子供や車椅子使用者にとっては操作がしずらいという問題があった。
【０００３】
この問題を解決するため、特許文献１において、通常の位置に設けられるハンドルの下方に第２のハンドルを設けて、これらを相互に連動させるようにした扉開閉装置が提案されている。これによれば、身長が低い子供や車椅子使用者は、下方のハンドルを回動操作することによって扉を開閉することができる。
【先行技術文献】
【特許文献】
【０００４】
【特許文献１】特開平１１−２８０３０８号公報
【発明の概要】
【発明が解決しようとする課題】
【０００５】
しかしながら、この従来技術では、扉を開くために手でいずれかのハンドルを回動操作しなければならないため、手が不自由な車椅子使用者は、手が届く下方位置にハンドルがあっても、これを回動操作して扉を開けることが困難または場合によっては不可能である。
【０００６】
したがって、本発明が解決しようとする課題は、健常者だけでなく、手が不自由な車椅子使用者であっても容易に扉を開けることができるようにすることである。
【課題を解決するための手段】
【０００７】
この課題を解決するため、請求項１に係る本発明は、扉を開閉するハンドルが設けられた扉であって、ハンドルは、上下に長く形成された長尺状の把手部材と、把手部材を扉に固定する固定部材と、固定部材により扉に固定された把手部材を操作したときに扉のラッチを解除するラッチ解除手段とを備えることを特徴とする。
【０００８】
請求項２に係る本発明は、請求項１記載の扉において、ラッチ解除手段は、把手部材を壁面方向に押したときに扉のラッチを解除するものであることを特徴とする。
【０００９】
請求項３に係る本発明は、請求項２記載の扉において、車椅子使用者が車椅子のフットサポートで把手部材の少なくとも一部を押してラッチ解除可能であることを特徴とする。
【００１０】
請求項４に係る本発明は、請求項１ないし３のいずれか記載の扉において、固定部材が把手部材の上端に設けられ、該固定部材を介して扉に固定された把手部材が該固定位置から下方に延長することを特徴とする。
【００１１】
請求項５に係る本発明は、請求項１ないし３のいずれか記載の扉において、固定部材が把手部材の下端に設けられ、該固定部材を介して扉に固定された把手部材が該固定位置から上方に延長することを特徴とする。
【００１２】
請求項６に係る本発明は、請求項１ないし３のいずれか記載の扉において、固定部材が把手部材の長さ方向略中央に設けられ、該固定部材を介して扉に固定された把手部材が該固定位置から上方および下方に延長することを特徴とする。
【発明の効果】
【００１３】
請求項１に係る本発明によれば、ハンドルの把手部材が上下に長く形成されているので、大人の健常者はハンドルの上方部分を、背の低い子供や車椅子使用者などはハンドルの下方部分を操作することによってラッチ解除手段を介して扉を開くことができる。
【００１４】
請求項２に係る本発明によれば、把手部材を壁面方向に押したときに扉のラッチを解除することができるので、手の不自由な人でも扉を容易に開けることができる。
【００１５】
請求項３に係る本発明によれば、ハンドルが車椅子のフットサポートに当たる位置まで下方に延長されているので、車椅子使用者は、ハンドルを手で操作しなくても、車椅子ごと前進してフットサポートでハンドルの下方部分を押して扉を開くことができる。したがって、手の不自由な車椅子使用者であっても、容易に扉を開けることができる。
【００１６】
請求項３によれば、本発明を実施するための好適な一実施形態が提供される。
【００１７】
請求項４によれば、本発明を実施するための好適な別の実施形態が提供される。
【００１８】
請求項５によれば、本発明を実施するための好適なさらに別の実施形態が提供される。
【図面の簡単な説明】
【００１９】
【図１】本発明の一実施形態による扉の正面図（ａ）、側面図（ｂ）および要部拡大側面図（ｃ）である。
【図２】図１の扉のハンドルの構造を示す分解側面図（ａ）および取付状態側面図（ｂ）である。
【図３】本発明の別の実施形態による扉の正面図（ａ）、側面図（ｂ）および要部拡大側面図（ｃ）である。
【図４】本発明のさらに別の実施形態による扉の正面図（ａ）、側面図（ｂ）および要部拡大側面図（ｃ）である。
【図５】本発明のさらに別の実施形態によるハンドルの要部拡大側面図である。
【図６】図５の実施形態の変形例によるハンドルについての好適な固定態様を示す取付状態側面図である。
【発明を実施するための形態】
【００２０】
以下、添付図面に基づいて本発明を実施するための形態について説明する。
【実施例１】
【００２１】
図１は、本発明の一実施形態（実施例１）による扉の正面図（ａ）、側面図（ｂ）および要部拡大側面図（ｃ）であり、各々平面視矩形状に形成された戸先側パネル２と戸尻側パネル３とが連結部材４によって回動自在（開閉自在）に連結されてなる折れ戸１として構成される扉において、戸先側パネル１の非連結端（閉じ側端）近くの両側面にそれぞれ開閉操作のためのハンドル５が取り付けられている。図示省略されているが、折れ戸１は、床面上において、上枠および左右縦枠からなる三方枠として構成される開口枠に設置され、戸先側パネル２は該開口枠の左縦枠側の上端部で上枠に吊持され、戸尻側パネル３は右縦枠側の上端部で上枠に吊持される。戸先側パネル２と戸尻側パネル３とを連結する連結部材４や、戸先側パネル２と戸尻側パネル３を上枠に吊持させるための吊持手段などは公知であり、且つ、本発明の主題に直接関連しないので、詳細説明を省略する。
【００２２】
各ハンドル５は、上下に長く形成された長尺状の把手部材６と、把手部材６を扉に固定する固定部材７と、固定部材７により戸先側パネル２に固定された把手部材６をパネル面方向に押したときにラッチ機構９のラッチ８を解除するラッチ解除手段として働くラッチ動作棒６３とを備える。ハンドル５の把手部材６は、大人が立ってハンドル操作しやすい高さ位置（上端位置）から、床面近く、好ましくは車椅子のフットサポート（フットレスト）が当たる高さ位置（下端位置）まで上下に長く形成されている。公知のように、ラッチ８はラッチ機構９が備える付勢手段（図示せず）により常に突出する方向に付勢されており、戸先側パネル２が閉じた状態にあるときに、開口枠の左縦枠において対応する高さ位置に形成されたラッチ係合凹部（図示せず）に係合して戸先側パネル２を閉じた状態に維持する。
【００２３】
図２は、図１に示す各ハンドル５の構造を示す分解側面図（ａ）および取付状態側面図（ｂ）である。把手部材６は、その上端部６１の内面側に嵌合片６２が一体に形成され、さらに嵌合片６２からラッチ動作棒６３が突出している。嵌合片６２は、戸先側パネル２の閉じ側端近くのパネル面において前記上端位置に固定された固定部材７の嵌合穴７１に収容され、ピン穴６４，７２にピン（図示せず）を通すことにより、ピンを中心として嵌合穴７１内において若干の回動が許容されるように取り付けられている。この取付状態において、ラッチ動作棒６３は、固定部材７の嵌合穴７１を貫通して戸先側パネル２の厚さ内に突出する。かかる構成において、ハンドル５の把手部材６がパネル面に向けて押されると、嵌合穴７１に嵌合された嵌合片６２がピン（ピン穴６４，７２）を中心として図示時計方向に回動するので、ラッチ動作棒６３が上方に移動し、その上面のラッチ機構嵌合部６３に嵌合されるラッチ機構９の動作部材（図示せず）を介して前記付勢手段を緩めてラッチ８をラッチ係合凹部から開放する。これにより、連結部材４を介して戸先側パネル２を開放することができる。このようなラッチ機構９およびラッチ解除手段９は公知であり、且つ、本発明の主題に直接関連しないので、詳細説明を省略する。また、他のラッチ機構・ラッチ解除手段を採用しても良い。
【００２４】
この構成によれば、ハンドル５の把手部材６が、大人が立ってハンドル操作しやすい高さ位置（上端位置）から、床面近く、好ましくは車椅子のフットサポート（フットレスト）が当たる高さ位置（下端位置）まで上下に長く形成されており、この高さ範囲内において、固定部材７により固定される上端部６１を除くどの部分を押しても扉を開くことができる。また、ハンドル５はプッシュレバー式であるから体の一部で押したり車椅子などで押して開扉することが可能である。したがって、健常者はもちろんのこと、背の低い子供や車椅子使用者でも容易に開扉可能であり、特に手の不自由な車椅子使用者にとっては、自らは扉を開くために何らの操作も行わずに、車椅子ごと前進することにより車椅子のフットサポートで把手部材６の下端部６６を押して開扉することができるので、きわめて有効である。
【実施例２】
【００２５】
図３は、本発明の別の実施形態（実施例２）による扉の正面図（ａ）、側面図（ｂ）および要部拡大側面図（ｃ）であるが、基本構成は実施例１と同様であるので、同一または対応する部材・要素には同一の符号を付して、これらについての説明を割愛する。実施例１と異なる点はハンドル５の形状および構成について、実施例１では、固定部材７が把手部材６の上端に設けられ、固定部材７を介して戸先側パネル２に固定された把手部材６が該固定位置から下方に延長するものとして形成されているのに対し、この実施例では、固定部材７が把手部材６の下端に設けられ、固定部材７を介して扉に固定された把手部材６が該固定位置から上方に延長するものとして形成されている点である。ラッチ解除手段９およびラッチ動作棒６３などからなるラッチ解除手段は、実施例１において図２を参照して既述した構成や、他の公知のラッチ機構・ラッチ解除手段を採用して良い。
【００２６】
この構成によれば、ハンドル５の把手部材６が、床面近く、好ましくは車椅子のフットサポート（フットレスト）が当たる高さ位置（下端位置）から、大人が立ってハンドル操作しやすい高さ位置（上端位置）まで上下に長く形成されており、この高さ範囲内において、固定部材７により固定される下端部６６を除くどの部分を押しても扉を開くことができる。また、ハンドル５はプッシュレバー式であるから体の一部で押したり車椅子などで押して開扉することが可能である。したがって、健常者はもちろんのこと、背の低い子供や車椅子使用者でも容易に開扉可能であり、特に手の不自由な車椅子使用者にとっては、自らは扉を開くために何らの操作も行わずに、車椅子ごと前進することにより車椅子のフットサポートで把手部材６の下端部６６の上方部分を押して開扉することができるので、きわめて有効である。
【実施例３】
【００２７】
図４は、本発明のさらに別の実施形態（実施例３）による扉の正面図（ａ）、側面図（ｂ）および要部拡大側面図（ｃ）であるが、基本構成は実施例１と同様であるので、同一または対応する部材・要素には同一の符号を付して、これらについての説明を割愛する。実施例１と異なる点はハンドル５の形状および構成について、実施例１では、固定部材７が把手部材６の上端に設けられ、固定部材７を介して戸先側パネル２に固定された把手部材６が該固定位置から下方に延長するものとして形成されているのに対し、この実施例では、固定部材７が把手部材６の長さ方向略中央に設けられ、固定部材７を介して扉に固定された把手部材６が該固定位置から上方および下方に延長するものとして形成されている点である。ラッチ解除手段９およびラッチ動作棒６３などからなるラッチ解除手段は、実施例１において図２を参照して既述した構成や、他の公知のラッチ機構・ラッチ解除手段を採用して良い。
【００２８】
この構成によれば、ハンドル５の把手部材６が、固定部材７による固定位置から、大人が立ってハンドル操作しやすい高さ位置（上端位置）まで上方に延長する上方部分６７と、床面近く、好ましくは車椅子のフットサポート（フットレスト）が当たる高さ位置（下端位置）まで下方に延長する下方部分６８とを有するものとして上下に長く形成されており、この高さ範囲内において、固定部材７による固定位置を除くどの部分を押しても扉を開くことができる。また、ハンドル５はプッシュレバー式であるから体の一部で押したり車椅子などで押して開扉することが可能である。したがって、健常者はもちろんのこと、背の低い子供や車椅子使用者でも容易に開扉可能であり、特に手の不自由な車椅子使用者にとっては、自らは扉を開くために何らの操作も行わずに、車椅子ごと前進することにより車椅子のフットサポートで把手部材６の下端部６６を押して開扉することができるので、きわめて有効である。
【００２９】
なお、図４では、各ハンドル５について一つの把手部材６を用いてその高さ方向略中間で固定部材７によりパネル面に固定しているが、上方部分６７と下方部６８を別々の把手部材で形成しても良いことは言うまでもない。また、この実施例の構成によれば、把手部材６の上方部分（または上方の把手部材）６７を押したときと下方部分（または下方の把手部材）６８を押したときのいずれにおいてもラッチ動作棒６３を同一方向に移動させてラッチを解除させる必要があるが、上端部６１を大人の健常者が操作しやすい高さ位置に設けると共に、下端部６６を車椅子のフットサポートで押すことができる高さ位置に設けることが容易であり、且つ、これらの位置が固定部材７による固定位置から離れて設けられるので、梃子の作用を利用して軽微な力でも簡単にラッチ解除・開扉することができるメリットが発揮される。
【実施例４】
【００３０】
図５は、本発明のさらに別の実施形態（実施例４）によるハンドル５の要部拡大側面図であるが、基本構成は実施例１〜３と同様であるので、同一または対応する部材・要素には同一の符号を付して、これらについての説明を割愛する。実施例１〜３と異なる点はハンドル５の形状および構成について、実施例１〜３では、把手部材６の固定部（実施例１では上端部６１，実施例２では下端部６６，実施例３では中間部）から先端部（実施例１では下端部６６，実施例２では上端部６１，実施例３では上端部６１および下端部６６）に向かう直近部分でパネル面から離れるように湾曲させているのに対し、この実施例では、このような湾曲部を形成せずに把手部材６を直線状に延長するものとして形成している点である。このようなハンドル形状を採用することも、本発明の一実施形態である。
【実施例５】
【００３１】
図６は、図５に示す実施例４の変形例（実施例５）によるハンドル形状を採用した場合に好適な固定態様を示す取付状態側面図である。実施例１〜３のようにハンドル５の把手部材６に湾曲部を形成した場合は、該湾曲部の大きさ（曲率や長さ）に応じて把手部材６がパネル面から離れて位置することになるので、固定部の高さ（嵌合片６２および固定部材７の高さ）が比較的低いものであっても、開扉操作を行う際に把手部材６を押動ないし回転させるストロークを確保することができるが、実施例４のようにハンドル５の把手部材６を直線状に延長するものとして形成する場合は、この操作ストロークを確保するために、嵌合片６２および固定部材７を若干長くして、直線状の把手部材６とパネル面との間にある程度の間隔を設けることが好ましい。実施例５はこれに対応させたものである。
【符号の説明】
【００３２】
１  扉（折れ戸）
２  戸先側パネル
３  戸尻側パネル
３  連結部材
５  ハンドル
６  把手部材
６１  上端部
６２  嵌合片
６３  ラッチ動作棒（ラッチ解除手段）
６４  ピン穴
６５  ラッチ機構嵌合部
６６  下端部
６７  上方部分
６８  下方部分
７  固定部材
７１  嵌合穴
７２  ピン穴
８  ラッチ
９  ラッチ機構
【図１】
2015105503.tif 000003
【図２】
2015105503.tif 000004
【図３】
2015105503.tif 000005
【図４】
2015105503.tif 000006
【図５】
2015105503.tif 000007
【図６】
2015105503.tif 000008